【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
第１のフィルムシーンの第１の個数のフレームと、第２のフィルムシーンの第２の個数のフレームとが交互に存在するビデオフィルムのディジタル化されたフレームに関する動き予測符号化の方法であって、基準フレームがそこに記憶される２個のフレームバッファがフレームを符号化するためにそれぞれ利用可能であり、
フレームバッファを特定するための制御信号に応答して、該第１のフィルムシーンのフレームを動き予測するために一方のフレームバッファを選択手段により選択するステップと、
該制御信号に応答して、該第２のフィルムシーンのフレームを動き予測するために他方のフレームバッファを該選択手段により選択するステップと、
動き予測処理に基づいて冗長度が低減されるフレームの符号化を行うステップとを含み、
該制御信号は、フィルムシーンを識別する信号を発生する外部手段から供給される方法。
【請求項２】
上記第１のフィルムシーン又は上記第２のフィルムシーンのフレームを予測するため順方向予測だけが使用される請求項１記載の方法。
【請求項３】
上記第１のフィルムシーン又は上記第２のフィルムシーンのフレームを予測するため順方向予測又は逆方向予測が使用され、
逆方向予測されたフレームが時間遅延を伴って符号化され、そのフレームから逆方向予測が実行される該フレームが、逆方向予測された１以上のフレームのそれぞれの前で符号化されるように、少なくとも逆方向予測されたフレームについてＭＰＥＧ２標準に準拠した符号化順序の再分類が行われる請求項１記載の方法。
【請求項４】
フレームが予測されるべきフレームバッファを特定する情報が、少なくとも予測される各フレームのデータストリームに挿入されている請求項１乃至３のうちのいずれか１項記載の方法。
【請求項５】
第１のフィルムシーンの第１の個数のフレームと、第２のフィルムシーンの第２の個数のフレームとが交互に表示される特殊効果フィルムのシーケンスにフレームが属するかどうかを決めるため用いられる情報が、上記フレームバッファを別々に作動させるため、少なくとも予測された各フレームのデータストリームに挿入されている請求項１乃至４のうちいずれか１項記載の方法。
【請求項６】
第１のフィルムシーンの第１の個数のフレームと、第２のフィルムシーンの第２の個数のフレームとが交互に存在するフィルムの、請求項１記載の方法に従い符号化されたフレームを復号化する方法であって、基準フレームがそこに記憶される２個のフレームバッファがフレームを復号化するためにそれぞれ設けられており、
冗長度が低減されるフレームの符号化の逆演算を行うためのステップと、
符号化されたフレームデータと共に受信される該フレームバッファを特定するための制御信号に応答して、該第１のフィルムシーンのフレームを動き予測するために一方のフレームバッファを選択手段により選択するステップと、
該制御信号に応答して、該第２のフィルムシーンのフレームを動き予測するために、他方のフレームバッファを該選択手段により選択するステップと、
を含む方法。
【請求項７】
上記第１のフィルムシーン又は上記第２のフィルムシーンのフレームを予測するため順方向予測だけが使用される請求項６記載の方法。
【請求項８】
上記第１のフィルムシーン又は上記第２のフィルムシーンのフレームを予測するため順方向予測又は逆方向予測が使用され、
逆方向予測されたフレームが時間順に先行して出力され、そのフレームから逆方向予測が実行される該フレームが、逆方向予測された１以上のフレームのそれぞれの後で出力されるように、少なくとも逆方向予測されたフレームについてＭＰＥＧ２標準に準拠した符号化順序の再分類が行われる請求項６記載の方法。
【請求項９】
少なくとも予測された各フレームのデータストリームに挿入された情報が、フレームが予測されるべきフレームバッファを決めるため使用される請求項６乃至８のうちいずれか１項記載の方法。
【請求項１０】
第１のフィルムシーンの第１の個数のフレームと第２のフィルムシーンの第２の個数のフレームとが交互に続くフィルムのディジタル化されたフレームの動き予測符号化を行うための装置であって、基準フレームを記憶するための２個のフレームバッファを有し、
フィルムシーンを識別する信号を生成する外部ユニットから供給される、該フレームバッファを特定するための制御信号に応答して、該第１のフィルムシーンのフレームを予測するために一方のフレームバッファを選択し、該第２のフィルムシーンのフレームを予測するために他方のフレームバッファを選択するための手段と、
動き予測処理に基づいて冗長度が低減されるフレームの符号化を行うための手段と、
を備えることを特徴とする装置。
【請求項１１】
上記２個のフレームバッファを別々に作動させる手段として、フィルムシーンフラグ信号により制御され、符号化されるべきフレームを予測する上記第１又は上記第２のいずれかのフレームバッファを選択する第１のスイッチングユニット及び第２のスイッチングユニットが設けられている請求項１０記載の装置。
【請求項１２】
フィルムシーンフラグ信号に依存して、フレームが予測されるべきフレームバッファを指定する情報を、少なくとも予測された各フレームのデータストリームに挿入するデータ挿入手段が設けられている請求項１０又は１１記載の装置。
【請求項１３】
上記データ挿入手段は、特殊効果フィルムフラグ信号を検出した後に、第１のフィルムシーンの第１の個数のフレームと、第２のフィルムシーンの第２の個数のフレームとが交互に続く特殊効果フィルムのシーケンスにフレームが属することを指定する情報を、特殊効果フィルムの各フレームのデータストリームに付加的に挿入する請求項１２記載の装置。
【請求項１４】
特殊効果フィルムフラグ信号の存在を検出した後、予測モードとして順方向予測モードを不変的に設定する予測モード設定手段が設けられている請求項１３記載の装置。
【請求項１５】
特殊効果フィルムフラグ信号の存在を検出した後、予測モードとして順方向及び逆方向の両方の予測モードを許可する予測モード設定手段が設けられ、
逆方向予測されたフレームが時間遅延を伴って符号化され、そのフレームから逆方向予測が実行される該フレームが、逆方向予測された１以上のフレームのそれぞれの前で符号化されるように、少なくとも逆方向予測されたフレームについて、ＭＰＥＧ２標準に準拠した符号化順序の再分類が行われる請求項１３記載の装置。
【請求項１６】
第１のフィルムシーンの第１の個数のフレームと、第２のフィルムシーンの第２の個数のフレームとが交互に続くフィルムの、請求項１記載の方法に従い符号化されたフレームを復号化する装置であって、基準フレームを記憶するための２個のフレームバッファを有し、
冗長度が低減されるフレームの符号化の逆演算を行うための手段と、
符号化されたフレームデータと共に受信される、フレームバッファを特定するための制御信号に応答して、該第１のフィルムシーンのフレームを予測するために一方のフレームバッファを選択し、該第２のフィルムシーンのフレームを予測するために他方のフレームバッファを選択するための手段と、
を備えることを特徴とする装置。
【請求項１７】
上記２個のフレームバッファを別々に作動させる手段として、復号化されるべきフレームのデータストリーム中の予測のために使用されるべきフレームバッファに関する情報により制御され、上記第１又は上記第２のいずれかのフレームバッファを選択する第１のスイッチングユニット及び第２のスイッチングユニットが設けられている請求項１６記載の装置。
【請求項１８】
第１のフィルムシーンの第１の個数のフレームと、第２のフィルムシーンの第２の個数のフレームとが交互に続く特殊効果フィルムのシーケンスにフレームが属することを表わすフラグに関して、復号化されるべきフレームのデータストリーム中の情報を検出した後、予測モードとして順方向予測モードを不変的に設定する予測モード設定手段が設けられている請求項１６又は１７記載の装置。
【請求項１９】
第１のフィルムシーンの第１の個数のフレームと、第２のフィルムシーンの第２の個数のフレームとが交互に続く特殊効果フィルムのシーケンスにフレームが属することを表わすフラグに関して、復号化されるべきフレームのデータストリーム中の情報を検出した後、予測モードとして順方向及び逆方向の両方の予測モードを許可する予測モード設定手段が設けられ、
逆方向予測されたフレームが時間順に先行して出力で得られ、そのフレームから予測が行われるフレームが、逆方向に予測された１以上のフレームのそれぞれの後に出力でそれぞれ得られるように、少なくとも逆方向予測されたフレームについて、ＭＰＥＧ２標準に準拠した符号化順序の再分類が行われる請求項１６又は１７記載の装置。